(57)【要約】      （修正有）【課題】内燃機関内に堆積した劣化物等の汚れを洗浄して内部をきれいにできる洗浄方法を提供することにある。【解決手段】  （１）エアーインテークシステムにエアーインテークシステムクリーナを注入噴射して、システム全体を洗浄する。（２）フューエルタンク内にフューエルタンククリーナを注入混合し、フューエルシステムに流過させてシステム全体を洗浄する。（３）フューエルシステム途中にフューエルシステムクリーナを圧入して、システムの全体を洗浄する。（４）エキゾーストシステムにエキゾーストシステムクリーナを注入噴射して、システムの全体を洗浄する。（５）オイルパン内にオイルシステムクリーナを注入混合し、オイルシステムを潤滑させることでシステムの全体を洗浄する。【効果】内燃機関内に堆積した劣化物等の汚れを排除して新品と同様に内部をきれいにでき、燃費向上、性能向上、環境改善し、内燃機関寿命を長期化できる。【選択図】          図１
2006307820.tif 000002
【特許請求の範囲】
【請求項１】
自動車や船舶、航空機、その他に使用される内燃機関にあって、
（１）内燃機関のエアーインテークシステム（空気吸入系統）にエアーインテークシステムクリーナ（吸気系統用洗浄液、剤、材）を注入して噴射（スプレー）等することにより、エアーインテークシステムクリーナにて、エアーインテークシステム（空気吸入系統）の全体を洗浄する。
（２）フューエル（ガソリンや軽油等の燃料）が入っているフューエルタンク（ガソリンタンク等の燃料タンク）内にフューエルタンククリーナ（燃料槽用洗浄液、剤、材）を注入して所定割合でフューエルと混合し、フューエルタンクを含む内燃機関のフューエルシステム（燃料系統）に流過等させることにより、
フューエルタンククリーナにて、フューエルタンクを含むフューエルシステムの全体を洗浄する。
（３）フューエルポンプ（燃料ポンプ）やフューエルフィルタ（燃料濾過器）やキャブレター（気化器）のフロート室（浮室）等のフューエルシステム（燃料系統）の途中にフューエルシステムクリーナ（燃料系統用洗浄液、剤、材）を圧入させることにより、
フューエルシステムクリーナにて、フューエルシステムの全体を洗浄する。
このようにして、ガソリンエンジン（ガソリン機関）やディーゼルエンジン（ディーゼル機関）その他の自動車等の内燃機関の内部を各種のクリーナ（洗浄液、剤、材）にて洗浄することで、これら内燃機関等の内部に堆積した劣化物等の汚れを排除して新品の内燃機関と同様に内部をきれいにする、
ことを特徴とする自動車等の内燃機関の洗浄方法。
【請求項２】
（４）内燃機関のエキゾーストシステム（排気系統）にエキゾーストシステムクリーナ（排気系統用洗浄液、剤、材）を注入して噴射（スプレー）等することにより、
エキゾーストシステムクリーナにて、エキゾーストシステムの全体を洗浄する、
ことを備えてなる、
ことを特徴とする請求項１記載の自動車等の内燃機関の洗浄方法。
【請求項３】
（５）オイル（潤滑油）が充分に充填されている内燃機関のオイルパン（潤滑油槽）の内部にオイルシステムクリーナ（潤滑系統用洗浄液、剤、材）を注入して所定割合でオイルと混合し、内燃機関のオイルシステム（潤滑系統）を潤滑させることで、
オイルシステムクリーナにて、オイルシステムの全体を洗浄する、
ことを備えてなる、
ことを特徴とする請求項１または請求項２記載の自動車等の内燃機関の洗浄方法。
【発明の詳細な説明】
【技術分野】
【０００１】  本発明は、自動車等の内燃機関の洗浄方法に関し、特に内燃機関内に堆積した劣化物等の汚れを洗浄して新車の内燃機関と同様に内部をきれいにすることができるに自動車等の内燃機関の洗浄方法に関するものである。
【背景技術】
【０００２】  従来、自動車や船舶、航空機、その他に使用される内燃機関にあっては、長期間使用すると内部に燃料中の不純物や不完全燃焼による不燃物その他の劣化物が堆積し、性能低下を来すという問題点があった。【０００３】  従って、そのまま使用すると、燃費が悪く不経済であるばかりでなく、内燃機関の寿命を縮め、さらにＣＯ、ＨＣ、ＮＯｘ等の排出量が増加するという問題点があった。【０００４】  この為、従来、内燃機関を分解してこれら劣化物の堆積を除去する所謂オーバーホールが行われていたが、費用と時間を要し、実施が困難であるという問題点があった。【０００５】  従来、この問題点を解消するのが困難である為、中古車として処理することや、スクラップとして処分する方法が採られていた。【０００６】  しかしながら、これら従来方法にあっては、自動車等の内燃機関のみでなく、該内燃機関が架装されている自動車や船舶、航空機、その他のものが早期に使用不能となるため、不経済であるばかりでなく、環境にとっても不都合であるという問題点があった。
【発明の開示】
【発明が解決しようとする課題】
【０００７】  このような従来技術の問題点に鑑み、本発明の主な目的は、
自動車等の内燃機関の内部を洗浄することで、内燃機関内に堆積した劣化物等の汚れを排除して新品の内燃機関と同様に内部をきれいにすることができるようにすることで、
燃費を向上させると共に、性能を飛躍的に向上させることができ、さらにＣＯ、ＨＣ、ＮＯｘ等の排出量を軽減させて、環境の改善に寄与させ、しかも内燃機関の寿命を長期化することができ、従来の不具合の解消を図ることができる自動車等の内燃機関の洗浄方法を提供することにある。
【課題を解決するための手段】
【０００８】  このような目的は、本発明によれば、
自動車や船舶、航空機、その他に使用される内燃機関にあって、
（１）内燃機関のエアーインテークシステム（空気吸入系統）にエアーインテークシステムクリーナ（吸気系統用洗浄液、剤、材）を注入して噴射（スプレー）等することにより、エアーインテークシステムクリーナにて、エアーインテークシステム（空気吸入系統）の全体を洗浄する。
（２）フューエル（ガソリンや軽油等の燃料）が入っているフューエルタンク（ガソリンタンク等の燃料タンク）内にフューエルタンククリーナ（燃料槽用洗浄液、剤、材）を注入して所定割合でフューエルと混合し、フューエルタンクを含む内燃機関のフューエルシステム（燃料系統）に流過等させることにより、
フューエルタンククリーナにて、フューエルタンクを含むフューエルシステムの全体を洗浄する。
（３）フューエルポンプ（燃料ポンプ）やフューエルフィルタ（燃料濾過器）やキャブレター（気化器）のフロート室（浮室）等のフューエルシステム（燃料系統）の途中にフューエルシステムクリーナ（燃料系統用洗浄液、剤、材）を圧入させることにより、
フューエルシステムクリーナにて、フューエルシステムの全体を洗浄する。
このようにして、ガソリンエンジン（ガソリン機関）やディーゼルエンジン（ディーゼル機関）その他の自動車等の内燃機関の内部を各種のクリーナ（洗浄液、剤、材）にて洗浄することで、これら内燃機関等の内部に堆積した劣化物等の汚れを排除して新品の内燃機関と同様に内部をきれいにする、
ことを特徴とする自動車等の内燃機関の洗浄方法、
を提供することにより達成される。
【発明の効果】
【０００９】  このように、本発明によれば、自動車等の内燃機関の内部を洗浄することで、内燃機関内に堆積した劣化物等の汚れを排除して新品の内燃機関と同様に内部をきれいにすることができるようにすることで、燃費と性能とを飛躍的に向上させることができる。【００１０】  すなわち、燃費と性能を飛躍的に向上させることで、ＣＯ、ＨＣ、ＮＯｘ等の排出量を軽減させて、従来の不具合の解消を図ることができる。
（１）内燃機関の内部を洗浄することで、内燃機関内に堆積した劣化物等の汚れが排除され、内燃機関の内部が清浄になるから、燃料が完全燃焼され、燃費を向上させることができ、これによって性能を飛躍的に向上させることができる。
（２）内燃機関内に堆積した劣化物等の汚れが排除されて燃料が完全燃焼するようになることで、ＣＯ、ＨＣ、ＮＯｘ等の排出量が飛躍的に軽減されるから、環境の改善に寄与させることができる。
（３）内燃機関内に堆積した劣化物等の汚れが排除されて燃料が完全燃焼するようになることで、内燃機関の損傷も阻止されるから、内燃機関の寿命を長期化することができ、経済性を向上させることができる。
（４）内燃機関内に堆積した劣化物等の汚れを排除して新品の内燃機関と同様に内部をきれいにすることができるようにすることで、使用中の不具合の発生や燃費の低下を阻止することができるから、従来の不具合の解消を図ることで、使用勝手を飛躍的に向上させることができる。
【発明を実施するための最良の形態】
【００１１】  本発明を実施するための最良の形態である自動車等の内燃機関の洗浄方法は、
自動車や船舶、航空機、その他に使用される内燃機関にあって、
（１）内燃機関のエアーインテークシステム（空気吸入系統）にエアーインテークシステムクリーナ（吸気系統用洗浄液、剤、材）を注入して噴射（スプレー）等することにより、エアーインテークシステムクリーナにて、エアーインテークシステム（空気吸入系統）の全体を洗浄する。
（２）フューエル（ガソリンや軽油等の燃料）が入っているフューエルタンク（ガソリンタンク等の燃料タンク）内にフューエルタンククリーナ（燃料槽用洗浄液、剤、材）を注入して所定割合でフューエルと混合し、フューエルタンクを含む内燃機関のフューエルシステム（燃料系統）に流過等させることにより、
フューエルタンククリーナにて、フューエルタンクを含むフューエルシステムの全体を洗浄する。
（３）フューエルポンプ（燃料ポンプ）やフューエルフィルタ（燃料濾過器）やキャブレター（気化器）のフロート室（浮室）等のフューエルシステム（燃料系統）の途中にフューエルシステムクリーナ（燃料系統用洗浄液、剤、材）を圧入させることにより、
フューエルシステムクリーナにて、フューエルシステムの全体を洗浄する。
（４）内燃機関のエキゾーストシステム（排気系統）にエキゾーストシステムクリーナ（排気系統用洗浄液、剤、材）を注入して噴射（スプレー）等することにより、
エキゾーストシステムクリーナにて、エキゾーストシステムの全体を洗浄する。
（５）オイル（潤滑油）が充分に充填されている内燃機関のオイルパン（潤滑油槽）の内部にオイルシステムクリーナ（潤滑系統用洗浄液、剤、材）を注入して所定割合でオイルと混合し、内燃機関のオイルシステム（潤滑系統）を潤滑させることで、
オイルシステムクリーナにて、オイルシステムの全体を洗浄する。【００１２】  このようにして、ガソリンエンジン（ガソリン機関）やディーゼルエンジン（ディーゼル機関）その他の自動車等の内燃機関の内部を各種のクリーナ（洗浄液、剤、材）にて洗浄することで、これら内燃機関等の内部に堆積した劣化物等の汚れを排除して新品の内燃機関と同様に内部をきれいにすることができる。
【実施例１】
【００１３】  以下に添付の図面を参照して、本発明を特定の実施例について詳述する。【００１４】  次に、本発明の実施の第１例について詳述する。【００１５】  本発明の自動車等の内燃機関の洗浄方法の実施例にあっては、
例えば、本発明の第１例であるガソリンエンジンＧにおいて、
自動車等の内燃機関の洗浄方法１は、
（１）まず、内燃機関のエアーインテークシステム（空気吸入系統）Ａにエアーインテークシステムクリーナ（ＡＳＣ）（吸気系統用洗浄液、剤、材）２を注入して噴射（スプレー）することにより、エアーインテークシステム（空気吸入系統）Ａの全体を洗浄する。
（２）さらに、ガソリン等のフューエル（ガソリンや軽油等の燃料）Ｆが満タン状態のフューエルタンク（ガソリンタンク等の燃料タンク）Ｔ内にフューエルタンククリーナ（ＦＴＣ）（燃料槽用洗浄液、剤、材）３を注入して所定割合でフューエルＦと混合し、フューエルタンクＴを含む内燃機関のフューエルシステム（燃料系統）Ｓに流過させることでフューエルシステムＳの全体を洗浄する。
（３）つづいて、フューエルポンプ（燃料ポンプ）Ｐやフューエルフィルタ（燃料濾過器）Ｕやキャブレター（気化器）Ｃのフロート室（浮室）Ｒ等のフューエルシステム（燃料系統）Ｓの途中にフューエルシステムクリーナ（ＦＳＣ）（燃料系統用洗浄液、剤、材）４を圧入して、フューエルシステムＳに圧入させることでフューエルシステムＳの全体を洗浄する。
（４）また、内燃機関のエキゾーストシステム（排気系統）Ｅにエキゾーストシステムクリーナ（ＥＳＣ）（排気系統用洗浄液、剤、材）５を注入して噴射（スプレー）することにより、エキゾーストシステムＥの全体を洗浄する。
（５）さらに、オイル（潤滑油）Ｏが充分に充填されている内燃機関のオイルパン（潤滑油槽）Ｎの内部にオイルシステムクリーナ（ＯＳＣ）（潤滑系統用洗浄液、剤、材）６を注入して所定割合でオイルＯと混合し、内燃機関のオイルシステム（潤滑系統）Ｙを潤滑させることでオイルシステムＹの全体を洗浄する。【００１６】  このようにして、ガソリンエンジンＧの内部を各種の洗浄液（上記実施例の１〜６）にて洗浄することで、ガソリンエンジンＧ内に堆積した劣化物等の汚れを排除して新品のガソリンエンジンＧと同様に内部をきれいにすることができる。
【実施例２】
【００１７】  次に、本発明の実施の第２例について詳述する。【００１８】  本発明の自動車等の内燃機関の洗浄方法の第２例であるディーゼルエンジンＤにおいて、自動車等の内燃機関の洗浄方法１は、
（１）まず、内燃機関のエアーインテークシステム（空気吸入系統）Ａにエアーインテークシステムクリーナ（ＡＳＣ）（吸気系統用洗浄液、剤、材）２を注入して噴射（スプレー）することにより、エアーインテークシステム（空気吸入系統）Ａの全体を洗浄する。
（２）さらに、軽油等のフューエルＦが満タン状態のフューエルタンク（ガソリンタンクや軽油タンク等の燃料タンク）Ｔ内に軽油等のフューエル（ガソリンや軽油等の燃料）Ｆが満タン状態のフューエルタンク（軽油タンク等の燃料タンク）Ｔ内にフューエルタンククリーナ（ＦＴＣ）（燃料槽用洗浄液、剤、材）３を注入して所定割合でフューエルＦと混合し、フューエルタンクＴを含む内燃機関のフューエルシステム（燃料系統）Ｓに流過させることでフューエルシステムＳの全体を洗浄する。
（３）つづいて、コモンレールＬやフューエルフィルタＵ等のフューエルシステム（燃料系統）Ｓの途中にフューエルシステムクリーナ（ＦＳＣ）（燃料系統用洗浄液、剤、材）４を圧入して、フューエルシステム（燃料系統）Ｓに圧入させることでフューエルシステム（燃料系統）Ｓを洗浄する。
（４）また、内燃機関のエキゾーストシステム（排気系統）Ｅにエキゾーストシステムクリーナ（ＥＳＣ）（排気系統用洗浄液、剤、材）５を注入して噴射（スプレー）することにより、エキゾーストシステムＥの全体を洗浄する。
（５）さらに、オイル（潤滑油）Ｏが充分に充填されている内燃機関のオイルパン（潤滑油槽）Ｎの内部にオイルシステムクリーナ（ＯＳＣ）（潤滑系統用洗浄液、剤、材）６を注入して所定割合でオイルＯと混合し、内燃機関のオイルシステム（潤滑系統）Ｙを潤滑させることでオイルシステムＹの全体を洗浄する。【００１９】  このようにして、ディーゼルエンジンＤの内部を各種の洗浄液（上記実施例の１〜６）にて洗浄することで、ディーゼルエンジンＤ内に堆積した劣化物等の汚れを排除して新品のディーゼルエンジンＤと同様に内部をきれいにすることができる。【００２０】  尚、本発明の自動車等の内燃機関の洗浄方法１は、上記実施例の自動車用のガソリンエンジン（ガソリン機関）Ｇやディーゼルエンジン（ディーゼル機関）Ｄに限られることなく、船舶、航空機、農機具、発電用その他に使用される内燃機関においても、上記実施例の自動車用の内燃機関と同様に適用することができるのは勿論であり、
これらの内燃機関の内部を上記要領にて洗浄することで、内燃機関内に堆積した劣化物等の汚れを排除して新品の内燃機関と同様に内部をきれいにすることができ、燃費を向上させると共に、性能を飛躍的に向上させることができ、さらにＣＯ、ＨＣ、ＮＯｘ等の排出量を軽減させて、環境の改善に寄与させ、しかも内燃機関の寿命を長期化することができ、従来の不具合の解消を図ることができる。【００２１】  また、本発明の自動車等の内燃機関の洗浄方法１は、前記実施例に限られることなく、上記実施例の構成に追加することや、他の構成で置換することができるのは勿論である。【００２２】  さらに、前記実施例にあっては、工程数を５としたが、本発明はこれに限られることなく、該工程数を６以上とすることができるるのは勿論である。【００２３】  また、前記実施例にあっては、工程数を５としたが、本発明はこれに限られることなく、該工程数を４以下とすることができるるのは勿論である。【００２４】  例えば、前記実施例の工程数５の内、
（１）エアーインテークシステム（空気吸入系統）Ａにエアーインテークシステムクリーナ（ＡＳＣ）（吸気系統用洗浄液、剤、材）２を注入して噴射（スプレー）することにより、エアーインテークシステム（空気吸入系統）Ａの全体を洗浄する第一工程と、
（２）さらに、ガソリン等のフューエル（ガソリンや軽油等の燃料）Ｆが満タン状態のフューエルタンク（ガソリンタンク等の燃料タンク）Ｔ内にフューエルタンククリーナ（ＦＴＣ）（燃料槽用洗浄液、剤、材）３を注入して所定割合でフューエルＦと混合し、フューエルタンクＴを含む内燃機関のフューエルシステム（燃料系統）Ｓに流過させることでフューエルシステムＳの全体を洗浄する第二工程と、
（３）つづいて、フューエルポンプ（燃料ポンプ）Ｐやフューエルフィルタ（燃料濾過器）Ｕやキャブレター（気化器）Ｃのフロート室（浮室）Ｒ等のフューエルシステム（燃料系統）Ｓの途中にフューエルシステムクリーナ（ＦＳＣ）（燃料系統用洗浄液、剤、材）４を圧入して、フューエルシステムＳに圧入させることでフューエルシステムＳの全体を洗浄する第三工程と、
から構成し、第四工程以下を省略することもできる。【００２５】  これらによって、自動車等の内燃機関の内部を洗浄することで、内燃機関内に堆積した劣化物等の汚れを排除して新品の内燃機関と同様に内部をきれいにすることができ、
燃費を向上させると共に、性能を飛躍的に向上させることができ、さらにＣＯ、ＨＣ、ＮＯｘ等の排出量を軽減させて、環境の改善に寄与させ、しかも内燃機関の寿命を長期化することができる。【００２６】  尚、エアーインテークシステムクリーナ（ＡＳＣ）（吸気系統用洗浄液、剤、材）２、フューエルタンククリーナ（ＦＴＣ）（燃料槽用洗浄液、剤、材）３、フューエルシステムクリーナ（ＦＳＣ）（燃料系統用洗浄液、剤、材）４、エキゾーストシステムクリーナ（ＥＳＣ）（排気系統用洗浄液、剤、材）５、オイルシステムクリーナ（ＯＳＣ）（潤滑系統用洗浄液、剤、材）６は、その成分や成分内容について説明していないが、該当するものとしては炭化水素系洗浄剤やそれに各種添加材を配合したもの、その他のものがあり、その最適なものの成分や成分内容については、後日特許出願するものの中で、詳述する予定である。
【図面の簡単な説明】
【００２７】
【図１】本発明の自動車等の内燃機関の洗浄方法の第１実施例を示す構成図である。
【図２】本発明の自動車等の内燃機関の洗浄方法の第２実施例を示す構成図である。
【図３】第１実施例の第一工程及び第二工程を示す構成図である。
【図４】第１実施例の第一工程及び第二工程を示す構成図である。
【図５】第１実施例の第四工程を示す構成図である。
【図６】第１実施例の第一工程及び第二工程を示す構成図である。
【図７】第１実施例の第五工程を示す構成図である。
【符号の説明】
【００２８】１      自動車等の内燃機関の洗浄方法
２      エアーインテークシステムクリーナ（ＡＳＣ）（吸気系統用洗浄液、剤、材）
３      フューエルタンククリーナ（ＦＴＣ）（燃料槽用洗浄液、剤、材）
４      フューエルシステムクリーナ（ＦＳＣ）（燃料系統用洗浄液、剤、材）
５      エキゾーストシステムクリーナ（ＥＳＣ）（排気系統用洗浄液、剤、材）
６      オイルシステムクリーナ（ＯＳＣ）（潤滑系統用洗浄液、剤、材）
Ａ      エアーインテークシステム（空気吸入系統）
Ｃ      キャブレター（気化器）
Ｄ      ディーゼルエンジン（ディーゼル機関）
Ｅ      エキゾーストシステム（排気系統）
Ｆ      フューエル（ガソリンや軽油等の燃料）
Ｇ      ガソリンエンジン（ガソリン機関）
Ｌ      コモンレール（共有管）
Ｎ      オイルパン（潤滑油槽）
Ｏ      オイル（潤滑油）
Ｐ      フューエルポンプ（燃料ポンプ）
Ｒ      フロート室（浮室）
Ｓ      フューエルシステム（ガソリンや軽油等の燃料系統）
Ｔ      フューエルタンク（ガソリンタンク等の燃料タンク）
Ｕ      フューエルフィルタ（燃料濾過器）
Ｙ      オイルシステム（潤滑系統）
【図１】
2006307820.tif 000003
【図２】
2006307820.tif 000004
【図３】
2006307820.tif 000005
【図４】
2006307820.tif 000006
【図５】
2006307820.tif 000007
【図６】
2006307820.tif 000008
【図７】
2006307820.tif 000009